(57)【要約】【課題】復元モジュールを搭載する認証モジュール（被搭載モジュール）やその認証モジュールを実装する電子機器を小型化し、認証モジュール及び電子機器の製造コストを軽減することを可能とする。【解決手段】共通復元部１２１は、入力されたインタリーブ信号を構成する各構成データの書き込み及び読み出しが行われるメモリ部１２１ａと、インタリーブ信号が入力された場合、当該入力されたインタリーブ信号の各構成データを、インタリーブ信号の異なる信号フォーマット間で共通に設定されている特定の書き込み順のアドレス情報に従ってメモリ部１２１ａに順次書き込む処理を行うとともに、メモリ部１２１ａに書き込まれた各構成データを、異なる信号フォーマット間で共通に設定されている特定の読み出し順のアドレス情報に従ってメモリ部１２１ａから順次読み出す処理を行うメモリアクセス制御部１２１ｂと、を有する。【選択図】図１
2011135235.tif 000002
【特許請求の範囲】
【請求項１】
入力されたインタリーブ信号を構成する各構成データの書き込み及び読み出しが行われるメモリ手段と、
前記インタリーブ信号が入力された場合、当該入力されたインタリーブ信号の各構成データを、前記インタリーブ信号の異なる信号フォーマット間で共通に設定されている特定の書き込み順のアドレス情報に従って前記メモリ手段に順次書き込む処理を行うとともに、前記メモリ手段に書き込まれた各構成データを、前記異なる信号フォーマット間で共通に設定されている特定の読み出し順のアドレス情報に従って前記メモリ手段から順次読み出す処理を行い、前記読み出し処理により読み出した複数の構成データを復元信号として出力する制御を行うメモリアクセス制御手段と、
を備えたことを特徴とする認証モジュール。
【請求項２】
前記メモリ手段は、１ビット単位の前記各構成データを記憶する１ビット単位のメモリセルを行と列の２次元格子状に配置して構成されており、
前記メモリアクセス制御手段は、
前記入力されたインタリーブ信号の各構成データを、所定数の構成データ毎に、前記行又は列のいずれか一方向の所定数のメモリセル単位で順次書き込む処理を繰り返し行い、
全ての構成データの書き込みが終了した後、前記メモリセルに書き込まれた各構成データを、前記一方向とは異なる他方向の所定数のメモリセル単位で順次読み出す処理を繰り返し行うことを特徴とする請求項１に記載の認証モジュール。
【請求項３】
前記複数種類のインタリーブ信号は、インタリーブされる前の信号を、異なる信号フォーマット間で共通に設定されている特定のデータ並び替え規則に従って並び替えされた信号であることを特徴とする請求項１又は２に記載の認証モジュール。
【請求項４】
復元モジュールから出力された復元信号を入力した場合、所定のレジスタ手段の設定に基づき、当該入力した復元信号に対して前記信号フォーマット別のエラー判定処理を実行するエラー判定手段と、
前記エラー判定手段の判定により、正しいデータが得られたと判定された場合、前記レジスタ手段の設定に基づき、前記復元信号に含まれるＩＤデータに対して前記信号フォーマット別のＩＤ判定処理を実行するＩＤ判定手段と、
前記ＩＤ判定手段の判定により、正規のＩＤであると判定された場合、前記復元信号に含まれるコマンドデータに対してコマンド判定処理を実行するコマンド判定手段と、
を更に有することを特徴とする請求項１〜３のいずれか一項に記載の認証モジュール。
【請求項５】
入力されたインタリーブ信号を構成する各構成データの書き込み及び読み出しが行われるメモリ手段と、
前記インタリーブ信号が入力された場合、当該入力されたインタリーブ信号の各構成データを、前記インタリーブ信号の異なる信号フォーマット間で共通に設定されている特定の書き込み順のアドレス情報に従って前記メモリ手段に順次書き込む処理を行うとともに、前記メモリ手段に書き込まれた各構成データを、前記異なる信号フォーマット間で共通に設定されている特定の読み出し順のアドレス情報に従って前記メモリ手段から順次読み出す処理を行い、前記読み出し処理により読み出した複数の構成データを復元信号として出力する制御を行うメモリアクセス制御手段と、
を備えたことを特徴とする電子機器。
【請求項６】
入力されたインタリーブ信号を復元する処理を行う認証モジュールで実行されるインタリーブ復元方法であって、
前記インタリーブ信号を入力する入力工程と、
前記入力工程により入力されたインタリーブ信号の各構成データを、前記インタリーブ信号の異なる信号フォーマット間で共通に設定されている特定の書き込み順のアドレス情報に従って前記メモリ手段に順次書き込む処理を行うとともに、前記メモリ手段に書き込まれた各構成データを、前記異なる信号フォーマット間で共通に設定されている特定の読み出し順のアドレス情報に従って前記メモリ手段から順次読み出す処理を行うメモリアクセス制御工程と、
前記メモリアクセス制御工程により順次読み出された複数の構成データを復元信号として出力する復元信号出力工程と、
を含むことを特徴とするインタリーブ信号の復元方法。
【発明の詳細な説明】
【技術分野】
【０００１】
本発明は、インタリーブされた信号を復元する技術に関する。
【背景技術】
【０００２】
従来、無線電波（搬送波）に乗せた送信信号に発生する通信誤り（通信エラー）を分散させることが可能なインタリーブ信号を用いたインタリーブ信号送受信システムが知られている。
【０００３】
具体的には、この種のインタリーブ信号送受信システムとしては、リモコン装置などのインタリーブ信号送信機側で、コマンドやＩＤなどから構成される送信信号を所定の信号フォーマットでインタリーブしたインタリーブ信号を無線電波に乗せて送信し、テレビジョン受信機などのインタリーブ信号受信機側で、受信した無線電波から抽出されたインタリーブ信号を復元するようなテレビジョンシステムが知られている。
【０００４】
また、上述の信号フォーマットとしては、認証能力は高いが通信エラーにさほど強くないなどの特性を有する信号フォーマットや、認証能力は低いが通信エラーに強いなどの特性を有する信号フォーマットなど、それぞれ異なる利点を有する複数の信号フォーマットが提供されている。
【０００５】
このため、従来では、上述のようなテレビジョンシステムにおいて、リモコン装置（インタリーブ信号送信機）側で、通信環境の状態に応じて最適な信号フォーマットを選択するようにし、また、テレビジョン受信機（インタリーブ信号受信機）側で、異なる信号フォーマットでインタリーブされた複数種類のインタリーブ信号を復元できるように、異なる信号フォーマット毎にそれぞれ専用の復元処理を行う復元モジュールを認証モジュールなどの被搭載モジュールに搭載するようなものも知られている。
【０００６】
なお、特許文献１には、上述のような通信環境の状態に応じて、送信信号の信号フォーマット（通信モード）を適切に選択する技術が開示されている。
【先行技術文献】
【特許文献】
【０００７】
【特許文献１】特開２００７−４３３３０号公報
【発明の概要】
【発明が解決しようとする課題】
【０００８】
しかしながら、上述した従来のインタリーブ信号送受信システムにあっては、上述した如く、インタリーブ信号受信機側において、対応する信号フォーマットの種別数に合わせて複数の復元モジュールを搭載する形態を採っているため、復元モジュールを搭載する認証モジュール（被搭載モジュール）や、その認証モジュールを実装する電子機器が大型化してしまうなどの不都合があった。特に、インタリーブ信号受信機側で対応する信号フォーマットの数が増加するに連れて、上記不都合が顕著に現われるものとなっていた。
【０００９】
また、上述のように認証モジュール（被搭載モジュール）及び電子機器が大型化することにより、それら認証モジュール及び電子機器の製造コストが増大するなどの不都合もあった。
【００１０】
そこで、本発明は、上記課題に鑑みてなされたものであり、復元モジュールを搭載する認証モジュール（被搭載モジュール）やその認証モジュールを実装する電子機器を小型化し、認証モジュール及び電子機器の製造コストを軽減することが可能な認証モジュール、電子機器及びインタリーブ信号の復元方法を提供することを目的とする。
【課題を解決するための手段】
【００１１】
上述した課題を解決し、目的を達成するために、本発明は、認証モジュールが、入力されたインタリーブ信号を構成する各構成データの書き込み及び読み出しが行われるメモリ手段と、前記インタリーブ信号が入力された場合、当該入力されたインタリーブ信号の各構成データを、前記インタリーブ信号の異なる信号フォーマット間で共通に設定されている特定の書き込み順のアドレス情報に従って前記メモリ手段に順次書き込む処理を行うとともに、前記メモリ手段に書き込まれた各構成データを、前記異なる信号フォーマット間で共通に設定されている特定の読み出し順のアドレス情報に従って前記メモリ手段から順次読み出す処理を行い、前記読み出し処理により読み出した複数の構成データを復元信号として出力する制御を行うメモリアクセス制御手段と、を備えたことを特徴とする。
【発明の効果】
【００１２】
本発明によれば、異なる信号フォーマットでインタリーブされた複数種類のインタリーブ信号を同一の復元モジュールで復元できるので、復元モジュールを搭載する認証モジュール（被搭載モジュール）やその認証モジュールを実装する電子機器（テレビジョン受信機など）を小型化することができ、上記認証モジュール（被搭載モジュール）及び上記電子機器（テレビジョン受信機など）の製造コストを低減することができる。
【図面の簡単な説明】
【００１３】
【図１】図１は、本実施形態のテレビジョンシステムの構成、及び、リモコン装置とテレビジョン受信機の機能構成を示すブロック図である。
【図２】図２は、信号フォーマット（Ａ）のインタリーブ信号を説明するための図である。
【図３】図３は、信号フォーマット（Ｂ）のインタリーブ信号を説明するための図である。
【図４】図４は、リモコン装置におけるインタリーブ信号の送信時の処理手順を示すフローチャートである。
【図５】図５は、テレビジョン受信機におけるインタリーブ信号の受信時の処理手順を示すフローチャートである。
【図６】図６は、図５のステップＳ１２の復元処理の詳細な処理手順を示すフローチャートである。
【図７】図７は、信号フォーマット（Ａ）のインタリーブ信号を復元する様子を説明するための概念図である。
【図８】図８は、図７の復元方法により復元された復元信号（Ａ）の正しい場合と正しくない場合の一構成例を示す図である。
【図９】図９は、復元信号（Ａ）が正しい場合に、エラー判定部から出力されるＩＤデータ及びコマンドデータの一構成例を示す図である。
【図１０】図１０は、信号フォーマット（Ｂ）のインタリーブ信号を復元する様子を説明するための概念図である。
【図１１】図１１は、図１０の復元方法により復元された復元信号（Ｂ）の正しい場合と正しくない場合の一構成例を示す図である。
【図１２】図１２は、復元信号（Ｂ）が正しい場合に、エラー判定部から出力されるＩＤデータ及びコマンドデータの一構成例を示す図である。
【発明を実施するための形態】
【００１４】
以下、本発明の実施形態について添付図面を参照して説明する。
【００１５】
なお、本発明は、入力されたインタリーブ信号を復元して出力する復元モジュールを備えた認証モジュール、その認証モジュールを備えた電子機器、及び、その認証モジュールにおけるインタリーブ信号の復元方法に適用されるものであるが、以下の実施形態では、テレビジョンシステムに本発明を適用した場合について説明する。
【００１６】
まず、本発明を適用したテレビジョンシステムの各種構成について説明する。
【００１７】
図１は、本実施形態のテレビジョンシステムの構成、及び、リモコン装置とテレビジョン受信機の機能構成を示すブロック図である。
【００１８】
図１に示すように、このテレビジョンシステム１は、電波、ケーブル等を介して受信した信号に基づいて画像を再生する機能を有するテレビジョン受信機（インタリーブ信号受信機）１０と、そのテレビジョン受信機１０の動作を離れたところから操作するためのリモコン装置（インタリーブ信号送信機）２０とを主体に構成される。
（リモコン装置の構成）
【００１９】
本実施形態のリモコン装置２０は、テレビジョン受信機１０に送信するＩＤ、コマンド、誤り検出符号等から構成される送信信号を、通信環境の状態に応じて複数の信号フォーマットの中から選択した最適な信号フォーマットのインタリーブ信号として送信する機能を有するものであり、図１の例では、操作入力部２１、環境検知部２２、インタリーブ信号生成部２３、無線信号送信部２４、電源部２５等を備えている。
【００２０】
ここで、操作入力部２１は、テレビジョン受信機１０を待機状態から稼働状態にするための電源をオン又はオフするための電源ボタンや、「１」〜「１２」などのチャンネルを選択指定するためのチャンネルボタンや、スピーカから発声される音量を調節するための音量ボタンなどの各種操作ボタンからの操作信号を入力して、後段のインタリーブ信号生成部２３に出力するものである。
【００２１】
環境検知部２２は、一定時間経過毎などの予め定められたタイミングで、リモコン装置２０（即ち、テレビジョン受信機１０）の周辺の通信環境の状態を検知し、当該検知された通信環境の状態に応じて、複数の信号フォーマット（後述の信号フォーマット（Ａ）や信号フォーマット（Ｂ））の中から最適な信号フォーマットを選択するための選択信号（後述の選択信号（Ａ）や選択信号（Ｂ））を後段のインタリーブ信号生成部２３に出力する。
【００２２】
より具体的には、この環境検知部２２は、リモコン装置２０の周辺に存在する各種機器から送信される外界信号を受信するなどにより、リモコン装置２０（テレビジョン受信機１０）の周辺にテレビジョン受信機１０と同種の他の機器が存在するような環境状態を検知した場合に、他の機器の誤動作を防止することが可能な信号フォーマット（Ａ）を選択するための選択信号（Ａ）をインタリーブ信号生成部２３に出力する。
【００２３】
また、環境検知部２２は、外界信号を受信するなどにより、リモコン装置２０（テレビジョン受信機１０）の周辺のノイズが強く、通信エラーが発生する可能性が高いような環境状態を検知した場合に、通信エラーに強い信号フォーマット（Ｂ）を選択するための選択信号（Ｂ）をインタリーブ信号生成部２３に出力する。
【００２４】
インタリーブ信号生成部２３は、操作入力部２１及び環境検知部２２から入力した信号に基づいて、信号フォーマット（Ａ）又は信号フォーマット（Ｂ）のインタリーブ信号を生成する。
【００２５】
より具体的には、このインタリーブ信号生成部２３では、環境検知部２２から所定のタイミングで入力される選択信号（Ａ）又は選択信号（Ｂ）を更新保持しており、操作入力部２１から操作信号を入力した場合に、そのとき保持している選択信号（Ａ）又は選択信号（Ｂ）に対応した信号フォーマット（Ａ）又は信号フォーマット（Ｂ）を選択し、該選択した信号フォーマットのインタリーブ信号を生成する。
【００２６】
図２は、インタリーブ信号生成部２３において生成される信号フォーマット（Ａ）のインタリーブ信号の構成を説明するための図であり、図３は、インタリーブ信号生成部２３において生成される信号フォーマット（Ｂ）のインタリーブ信号の構成を説明するための図である。
【００２７】
より具体的には、図２（ａ）が、信号フォーマット（Ａ）のインタリーブ信号が生成される前、即ち、並び替え（インタリーブ）される前の送信信号（元信号）を示し、図２（ｂ）が、信号フォーマット（Ａ）のインタリーブ信号、即ち、図２（ａ）に示した送信信号（元信号）を並び替えた（インタリーブした）信号の一構成例を示している。
【００２８】
また、図３（ａ）が、信号フォーマット（Ｂ）のインタリーブ信号が生成される前、即ち、並び替え（インタリーブ）される前の送信信号（元信号）を示し、図３（ｂ）が、信号フォーマット（Ｂ）のインタリーブ信号、即ち、図３（ａ）に示した送信信号（元信号）を並び替えた（インタリーブした）信号の一構成例を示している。
【００２９】
図２及び図３に示すように、本実施形態のインタリーブ信号生成部２３では、信号フォーマット（Ａ）又は信号フォーマット（Ｂ）のインタリーブ信号を生成する際に、まず、図２（ａ）又は図３（ａ）に示すようなインタリーブされる前の状態である送信信号（元信号）を生成する。その後、その生成した送信信号（元信号）のＩＤ、コマンド、誤り検出符号等の各データを、異なる信号フォーマット（（Ａ）、（Ｂ））間で共通に設定されている特定のデータ並び替え規則に従って並び替えることにより、図２（ｂ）又は図３（ｂ）に示すようなインタリーブ信号を生成する。
【００３０】
具体的には、上記特定のデータ並び替え規則としては、図２（ａ）又は図３（ａ）に示すようなインタリーブされる前の送信信号（元信号）を構成するＩＤ、コマンド、誤り検出符号等の各データの並び替え後の配置を、異なる信号フォーマット間で共通に設定している。
【００３１】
例えば、図２（ｂ）、図３（ｂ）の例では、図２（ａ）、図３（ａ）に示すようなインタリーブされる前の送信信号（元信号）の、先頭（１番目）のデータ（ＩＤ０）の並び替え後の配置として、先頭（１番目）の配置が割り当てられ、２番目のデータ（ＩＤ１）の並び替え後の配置として、９番目の配置が割り当てられ、３番目のデータ（ＩＤ２）として、１７番目の配置が割り当てられる、などのデータ並び替え規則が設定されている場合を示している。
【００３２】
なお、図２（ｂ）に示すような信号フォーマット（Ａ）のインタリーブ信号は、同図２（ｂ）に示すように、ＩＤのデータを長く、即ち、ＩＤの種類を多く設定し、同種のＩＤ及びコマンドのデータをそれぞれ一つずつ使用する態様となっており、これにより、認証能力は高いが通信エラーにさほど強くないなどの特性を有するものである。
【００３３】
また、図３（ｂ）に示すような信号フォーマット（Ｂ）のインタリーブ信号は、同図３（ｂ）に示すように、ＩＤのデータを短く、即ち、ＩＤの種類を少なく設定し、同種のＩＤ及びコマンドのデータをそれぞれ複数回使用する態様となっており、これにより、認証能力は低いが通信エラーに強いなどの特性を有するものである。
【００３４】
また、本実施形態のインタリーブ信号生成部２３では、異なる信号フォーマット（Ａ）、信号フォーマット（Ｂ）の種別に関係なく、インタリーブされる前の送信信号（元信号）の共通のデータ構造として、所定数のデータ（ＩＤやコマンドなどのデータ）に対して、誤り検出符号が１つ付加される態様を採っている。
【００３５】
図２（ａ）の送信信号（元信号）の例では、ＩＤ０〜ＩＤ２０の計２１種類のＩＤが所定の番号順に並び、その後に、Ｃ０〜Ｃ２の計３種類のコマンドが所定の番号順に並んでおり、且つ、３つのＩＤ及び３つのコマンド毎にそれぞれ対応付けられた誤り検出符号が該当する３つのＩＤ及び３つのコマンドの後ろに１つずつ付加された態様となっている。
【００３６】
また、図３（ａ）の送信信号（元信号）の例では、ＩＤ０〜ＩＤ２の計３種類のＩＤが所定の番号順に並び、その後に、Ｃ０〜Ｃ２の計３種類のコマンドが所定の番号順に並んでおり、且つ、それら３つのＩＤ及び３つのコマンド毎にそれぞれ対応付けられた誤り検出符号が１つずつ付加されたものが、計４回繰り返された態様となっている。
【００３７】
なお、図２及び図３の例では、３つのＩＤ（「ＩＤ０、ＩＤ１、ＩＤ２」など）や３つのコマンド（「Ｃ０、Ｃ１、Ｃ２」など）に対して、誤り検出符号が１つずつ付加される態様を採っているが、これに限定されることなく、２つや４つ以上のＩＤ及びコマンドに対して誤り検出符号が１つずつ付加されるような態様としても良い。
【００３８】
ここで、「ＩＤ」とは、正規のリモコン装置２０からの信号であるか否かの認証を行うための識別子を示すデータであり、「コマンド」とは、テレビジョン受信機１０の動作命令（制御内容）を示すデータであり、「誤り検出符号」とは、上述のＩＤやコマンドなどのデータの誤り（エラー）を検出するための符号である。
【００３９】
また、インタリーブ信号生成部２３は、今回生成したインタリーブ信号の信号フォーマットが、以前に生成したインタリーブ信号の信号フォーマットと異なる場合、即ち、信号フォーマットが変更された場合に、信号フォーマットが変更された旨を通知するものであって、後述のテレビジョン受信機１０に備わるレジスタ１２５のレジスタ設定を変更するための変更信号を無線信号送信部２４に出力する。
【００４０】
即ち、本実施形態のテレビジョンシステム（インタリーブ信号送受信システム）１では、テレビジョン受信機（インタリーブ受信機）１０側に設けられる後述の共通復元部（復元モジュール）１２１において、異なる信号フォーマットでインタリーブされた複数種類のインタリーブ信号のいずれの信号も後述の共通の復元処理（図５のステップＳ１２の処理）で復元できるようにするために、リモコン装置（インタリーブ送信機）２０側で、インタリーブされる前の送信信号（元信号）を、異なる信号フォーマット間で共通に設定されている特定のデータ並び替え規則に従って並び替えしたインタリーブ信号を生成するのが前提となっている。
【００４１】
また、図１に戻って、無線信号送信部２４は、インタリーブ信号生成部２３が生成したインタリーブ信号を、Ｂｌｕｅｔｏｏｔｈ（登録商標）などの無線通信モジュールを用いて無線電波（搬送波）により送信するものである。
【００４２】
また、この無線信号送信部２４は、インタリーブ信号生成部２３から上述の変更信号を入力すると、該入力した変更信号を上述の無線通信モジュールを用いて無線電波により送信するものでもある。
【００４３】
電源部２５は、乾電池や蓄電池などの電源から各構成要素部（２１〜２４）の動作に必要な電力を供給する部分である。
（テレビジョン受信機の構成）
【００４４】
（テレビジョン受信機の構成）  
本実施形態のテレビジョン受信機１０は、リモコン装置２０から送信された無線電波に乗ったインタリーブ信号を復元する機能を有するものであり、図１の例では、無線信号受信部１１、認証モジュール１２、コマンド実行部１３、制御対象部１４等を備えている。
【００４５】
ここで、無線信号受信部１１は、Ｂｌｕｅｔｏｏｔｈなどの無線通信モジュール（無線通信手段）を用いて、リモコン装置２０の無線信号送信部２４から送信された無線電波を受信し、該受信した無線電波からインタリーブ信号を抽出して後段の認証モジュール１２に出力するものである。
【００４６】
認証モジュール１２は、共通復元部（復元モジュール）１２１、エラー判定部１２２、ＩＤ判定部１２３、コマンド判定部１２４、レジスタ１２５等を備えており、これら各構成要素部１２１〜１２５により、入力したインタリーブ信号の復元処理、エラー判定処理、ＩＤ判定処理、コマンド判定処理等の認証処理を行うものである。
【００４７】
ここで、共通復元部１２１は、無線信号受信部１１から入力したインタリーブ信号（図２（ｂ）、図３（ｂ）参照）を、インタリーブされる前の送信信号（元信号）（図２（ａ）、図３（ａ）参照）に復元する処理を行うものである。
【００４８】
本実施形態の共通復元部１２１は、インタリーブ信号を構成する１ビット単位の各構成データ（ＩＤ、コマンド、誤り検出符号等）を記憶する１ビット単位のメモリセルを行と列の２次元格子状に配置して構成されたメモリ部１２１ａ（図７（ａ）参照）と、データバス、制御線、アドレスバス等（図７（ａ）参照）を介してメモリ部１２１ａに対する構成データの書き込み及び読み出しを行うメモリアクセス制御部１２１ｂとを主体に構成される。
【００４９】
ここで、本実施形態のメモリアクセス制御部１２１ｂは、インタリーブ信号が入力された場合、当該入力されたインタリーブ信号の各構成データを、インタリーブ信号の異なる信号フォーマット間で共通に設定されている特定の書き込み順のアドレス情報に従ってメモリ部１２１ａに順次書き込む処理を行うとともに、メモリ部１２１ａに書き込まれた各構成データを、異なる信号フォーマット間で共通に設定されている特定の読み出し順のアドレス情報に従ってメモリ部１２１ａから順次読み出す処理を行うとともに、そのメモリアクセス制御により読み出した複数の構成データを復元信号（即ち、インタリーブされる前の送信信号（元信号））として出力する処理を実行するものである。
【００５０】
ここで、上記特定の書き込み順のアドレス情報とは、入力されたインタリーブ信号を構成する先頭から最後尾までの各構成データを、それぞれどのアドレスのメモリセルに書き込むのかを指定するための第１のアドレス情報のことである。
【００５１】
また、上記特定の読み出し順のアドレス情報とは、上記第１のアドレス情報に基づいて各メモリセルに書き込まれた各構成データを、どのアドレスのメモリセルから順次読み出すのかを指定するための第２のアドレス情報のことである。即ち、上記特定の書き込み順のアドレス情報及び特定の読み出し順のアドレス情報は、上述のデータ並び替え規則に対応して設定されるものである。
【００５２】
具体的には、本実施形態では、入力されたインタリーブ信号の各構成データをメモリ部１２１ａに書き込む場合、メモリ部１２１ａの縦方向、即ち、列方向に順次書き込むようになっているため（図７（ｂ）、図１０（ｂ）等参照）、上記第１のアドレス情報としては、最左列の上端のメモリセルのアドレス（１）から同じ列の下端のメモリセルのアドレス（８）まで、次いで、左から二番目の列の上端のメモリセルのアドレス（９）から同じ二番目の列の下端のメモリセルのアドレス（１６）まで、・・・、最右列の上端のメモリセルのアドレス（２５）から同じ最右列の下端のメモリセルのアドレス（３２）まで（「１→２→３→４→５→６→７→８→９→１０→・・・・・→２９→３０→３１→３２」）という、書き込み順のアドレスが設定されている（図７（ａ）のアドレス参照）。
【００５３】
また、本実施形態では、メモリ部１２１ａの各メモリセルに書き込まれた各構成データを読み出す場合、横方向、即ち、行方向に順次読み出すようになっているため（図７（ｄ）、図１０（ｄ）等参照）、上記第２のアドレス情報としては、最上行の左端のメモリセルのアドレス（１）から同じ行の右端のメモリセルのアドレス（２５）まで、次いで、上から二番目の行の左端のメモリセルのアドレス（２）から同じ二番目の行の右端のメモリセルのアドレス（２６）まで、・・・、最下行の左端のメモリセルのアドレス（８）から同じ最下行の右端のメモリセルのアドレス（３２）まで（「１→９→１７→２５→２→１０→１８→２６→３→・・・・・→８→１６→２４→３２」）という、読み出し順のアドレスが設定されている（図７（ａ）のアドレス参照）。
【００５４】
なお、本実施形態の共通復元部１２１は、ＩＣ（Ｉｎｔｅｇｒａｔｅｄ  Ｃｉｒｃｕｉｔ）やＬＳＩ（Ｌａｒｇｅ  Ｉｎｔｅｇｒａｔｅｄ  Ｃｉｒｃｕｉｔ）などの電子回路を集積した集積回路で実現される。
【００５５】
エラー判定部１２２は、誤り検出符号を用いて、共通復元部１２１で復元されたデータにエラーが有るか否かを判定し、所定の条件をクリアしている場合に、後段のＩＤ判定部１２３に所定の条件をクリアしたＩＤデータを出力し、且つ、後段のコマンド判定部１２４に所定の条件をクリアしたコマンドデータを出力する。
【００５６】
より具体的には、このエラー判定部１２２は、信号フォーマット（Ａ）の信号に対するエラー判定処理を実行する信号フォーマット（Ａ）用のエラー判定部１２２ａと、信号フォーマット（Ｂ）の信号に対するエラー判定処理を実行する信号フォーマット（Ｂ）用のエラー判定部１２２ｂとを備えている。
【００５７】
具体的には、信号フォーマット（Ａ）用のエラー判定部１２２ａは、４ビット単位のエラーチェックなどの所定のエラーチェックを行って、複数種類のＩＤ及びコマンドのいずれにもエラーがない場合に、入力したＩＤデータをＩＤ判定部１２３に出力するとともに、ＩＤ判定部１２３から正規のＩＤデータである旨の通知信号を入力した場合に、入力したコマンドデータをコマンド判定部１２４に出力する。
【００５８】
他方、信号フォーマット（Ａ）用のエラー判定部１２２ａは、上記エラーチェックの結果、複数種類のＩＤ及びコマンドの少なくともいずれか一つにエラーが生じていた場合には、ＩＤデータ及びコマンドデータにエラーが有って正常なデータを受信できなかったものとして、エラー処理を実行する。即ち、ＩＤ判定部１２３へのＩＤデータの出力、及び、コマンド判定部１２４へのコマンドデータの出力を行わず、それらデータを破棄する。
【００５９】
また、信号フォーマット（Ｂ）用のエラー判定部１２２ｂは、４ビット単位のエラーチェックなどの所定のエラーチェックを行って、それぞれ複数個ある同種のＩＤ及びコマンドの両者においてそれぞれ少なくとも一つエラーのない正常なものがあった場合に、その正常なＩＤデータをＩＤ判定部１２３に出力するとともに、ＩＤ判定部１２３から正規のＩＤデータである旨の通知信号を入力した場合に、正常なコマンドデータをコマンド判定部１２４に出力する。
【００６０】
他方、信号フォーマット（Ｂ）用のエラー判定部１２２ｂは、上記エラーチェックの結果、それぞれ複数個ある同種のＩＤ及びコマンドの両者においてそれぞれ少なくとも一つもエラーのない正常なものがなかった場合には、ＩＤデータ及びコマンドデータにエラーが有って正常なデータを受信できなかったものとして、エラー処理を実行する。即ち、ＩＤ判定部１２３へのＩＤデータの出力、及び、コマンド判定部１２４へのコマンドデータの出力を行わず、それらデータを破棄する。
【００６１】
ＩＤ判定部１２３は、エラー判定部１２２から入力したＩＤデータが登録されている正規のＩＤデータと一致した場合に、前段のエラー判定部１２２に上述の通信信号を出力する。
【００６２】
コマンド判定部１２４は、エラー判定部１２２から入力したコマンドデータが登録されている正規のコマンドデータと一致した場合に、そのコマンドデータを後段のコマンド実行部１３に出力する。
【００６３】
レジスタ１２５は、無線信号受信部１１を介して、上述のリモコン装置２０の無線信号送信部２４から送信された変更信号を入力した場合、レジスタ設定を変更する。
【００６４】
具体的には、エラー判定部１２２に対して、今回処理するインタリーブ信号の信号フォーマット（（Ａ）又は（Ｂ））に対応した信号フォーマット（Ａ）用のエラー判定部１２２ａ又は信号フォーマット（Ｂ）用のエラー判定部１２２ｂを選択する信号を出力するとともに、ＩＤ判定部１２３に対して、今回処理するインタリーブ信号の信号フォーマット（（Ａ）又は（Ｂ））に対応した信号フォーマット（Ａ）用のＩＤ判定部１２３ａ又は信号フォーマット（Ｂ）用のＩＤ判定部１２３ｂを選択する信号を出力する。
【００６５】
コマンド実行部１３は、入力したコマンドを実行する。より具体的には、入力したコマンドが、電源ＯＮを指示するコマンドであれば、電源部１４３に対してテレビジョン受信機１０の各構成部分への電力の供給を行わせる。また、入力したコマンドが、音量調節を指示するコマンドであれば、音声出力部１４２に対して音量調節を指示する。
【００６６】
制御対象部１４は、コマンド実行部１３で実行されるコマンドにより制御される被制御部のことであり、例えば、ＬＥＤディスプレイなどを用いてテレビ画像を表示する表示部１４１や、スピーカなどでテレビ音声を再生出力する音声出力部１４２や、商業用電源から、各構成要素部（１１〜１３、１４１、１４２等）に必要な電力を供給する電源部１４３などを備えている。
【００６７】
次に、上記説明したテレビジョンシステム１におけるインタリーブ信号の送受信時の処理動作について説明する。
【００６８】
図４は、リモコン装置２０におけるインタリーブ信号送信時の処理手順を示すフローチャートである。
【００６９】
図４に示すように、リモコン装置２０では、ステップＳ１の操作待受けにおいて、操作入力部２１が、ユーザによる電源ボタン、チャンネルボタン、音量ボタン等の各種操作ボタンの押下入力を検知すると、当該検知した押下入力に対応した操作信号をインタリーブ信号生成部２３に出力する。
【００７０】
続いて、ステップＳ２において、インタリーブ信号生成部２３が、環境検知部２２から一定時間毎に入力される選択信号（Ａ）又は選択信号（Ｂ）に基づいて、信号フォーマット（Ａ）又は信号フォーマット（Ｂ）のいずれか一方を選択し、該選択した信号フォーマットの形式でインタリーブされたインタリーブ信号（図２（ｂ）、図３（ｂ）等参照）を生成して無線信号送信部２４に出力する。
【００７１】
なお、上記ステップＳ２において、インタリーブ信号生成部２３は、今回生成したインタリーブ信号の信号フォーマットが、以前に生成したインタリーブ信号の信号フォーマットと異なる場合、即ち、信号フォーマットが変更された場合には、無線信号送信部２４に対して上述した変更信号（信号フォーマットが変更された旨を通知する信号）を出力する。
【００７２】
続いて、ステップＳ３において、上記インタリーブ信号を入力した無線信号送信部２４が、当該入力したインタリーブ信号を無線通信モジュール（無線通信手段）を用いて無線電波を用いて送信する。
【００７３】
また、上記ステップＳ３において、無線信号送信部２４は、インタリーブ信号生成部２３から上述の変更信号を入力した場合には、上述した変更信号（レジスタ１２５のレジスタ設定を変更する信号）を無線電波により送信する。
【００７４】
図５は、テレビジョン受信機１０におけるインタリーブ信号受信時の処理手順を示すフローチャートである。
【００７５】
図５に示すように、テレビジョン受信機１０では、ステップＳ１１の信号受信待受けにおいて、無線信号受信部１１が、リモコン装置（インタリーブ信号送信機）２０から送信された無線電波を受信すると、当該受信した無線電波に乗せられたインタリーブ信号（図２（ｂ）、図３（ｂ）等参照）を抽出し、認証モジュール１２の共通復元部１２１に出力する。
【００７６】
続いて、ステップＳ１２において、共通復元部１２１が、異なる信号フォーマット間で共通の復元処理を実行する。
【００７７】
図６は、上記ステップＳ１２の復元処理の詳細を示すフローチャートである。
【００７８】
図６に示すように、この復元処理では、まず、ステップＳ１２１において、入力されたインタリーブ信号を構成するＩＤ、コマンド、誤り検出符号等の各構成データを、異なる信号フォーマット（（Ａ）、（Ｂ））間で共通に設定されている特定の書き込み順のアドレス情報（上述の第１のアドレス情報）に従ってメモリ部１２１ａに順次書き込む処理を行う。
【００７９】
続いて、ステップＳ１２２において、上記ステップＳ１２１の処理でメモリ部１２１ａに書き込まれた各構成データを、異なる信号フォーマット間で共通に設定されている特定の読み出し順のアドレス情報（上述の第２のアドレス情報）に従ってメモリ部１２１ａから順次読み出す処理を行う。
【００８０】
その後、図５に戻って、ステップＳ１３において、エラー判定部１２２が、レジスタ１２５のレジスタ設定に基づいて信号フォーマット別のエラー判定処理を行う。また、このエラー判定処理の結果、正常な信号データ（ＩＤ及びコマンド）を受信できていた場合に、正常な信号データをＩＤ判定部１２３に出力する。
【００８１】
続いて、ステップＳ１４において、ＩＤ判定部１２３が、レジスタ１２５のレジスタ設定に基づいて信号フォーマット別のＩＤ判定処理を行う。即ち、ＩＤ判定部１２３が、入力したＩＤデータが予め登録されているＩＤと一致するか否かを判定し、一致した場合に、エラー判定部１２２に対して正規のＩＤであることを示すＯＫ信号を出力する。すると、エラー判定部１２２が、コマンド判定部１２４にコマンドデータを出力する。
【００８２】
続いて、ステップＳ１５において、コマンド判定部１２４が、入力したコマンドデータが予め登録されているコマンドと一致するか否かを判定し、一致した場合に、コマンド実行部１３にコマンドデータを出力する。
【００８３】
続いて、ステップＳ１６において、コマンド実行部１３が、入力したコマンドを実行する。
【００８４】
なお、上記ステップＳ１３の処理において、正常なＩＤデータ及びコマンドデータを受信できなかった場合には、処理をステップＳ１７に移行して、エラー処理を実行する。具体的には、このときのエラー処理としては、エラー判定部１２２が、後段のＩＤ判定部１２３及びコマンド判定部１２４にそれぞれ入力したＩＤデータ及びコマンドデータを出力せずに、それらデータを破棄する処理を実行する。
【００８５】
また、上記ステップＳ１４の処理において、入力したＩＤデータが予め登録されているＩＤデータと一致しなかった場合には、処理をステップＳ１７に移行して、エラー処理を実行する。具体的には、このときのエラー処理としては、ＩＤ判定部１２３がエラー判定部１２２に対してＩＤデータが正規のＩＤでないことを示すＮＧ信号を出力する。そして、そのＮＧ信号を入力したエラー判定部１２２が、コマンド判定部１２４に入力したコマンドデータを出力せずに、それらデータを破棄する処理を実行する。
【００８６】
更に、上記ステップＳ１５の処理において、入力したコマンドデータが予め登録されているコマンドデータと一致しなかった場合には、処理をステップＳ１７に移行して、エラー処理を実行する。具体的には、このときのエラー処理としては、コマンド判定部１２４が入力したコマンドデータの破棄処理を実行する。
【００８７】
次に、上記図５の認証処理（ステップＳ１２〜ステップＳ１５）の具体的な処理として、図２（ｂ）に示す信号フォーマット（Ａ）のインタリーブ信号の認証処理を行う場合と、図３（ｂ）に示す信号フォーマット（Ｂ）のインタリーブ信号の認証処理を行う場合について、図２及び図３に加えて、図７〜図１２を用いて以下に説明する。
【００８８】
まず、図２（ｂ）に示す信号フォーマット（Ａ）のインタリーブ信号の認証処理について説明する。
【００８９】
ステップＳ１２の処理において、共通復元部１２１が、無線信号受信部１１から図２（ｂ）に示すような信号フォーマット（Ａ）のインタリーブ信号を入力すると、まず、図７（ａ）に示すような空状態のメモリ部１２１ａに対して、図７（ｂ）に示すように、縦方向（点線矢印の方向）に入力したインタリーブ信号の先頭の構成データ（ＩＤ０）（図２（ｂ）参照）から順番に各構成データを書き込む処理を行う。
【００９０】
そして、図７（ｃ）に示すように、全ての構成データの書き込みが完了すると、共通復元部１２１は、続いて、図７（ｄ）に示すように、横方向（点線矢印の方向）でメモリ部１２１ａに書き込まれた各構成データを順番に読み出す。図７（ｅ）に示すように、全ての構成データの読み出しが完了すると、図２（ａ）に示すような復元信号（Ａ）、即ち、インタリーブ前の送信信号（元信号）が得られる。
【００９１】
そして、共通復元部１２１は、復元信号（Ａ）をエラー判定部１２２に出力する。
【００９２】
その後、ステップＳ１３の処理において、信号フォーマット（Ａ）用のエラー判定部１２２ａが、誤り検出符号を用いて入力した復元信号（Ａ）のエラーチェックを行う。
【００９３】
具体的には、このエラーチェックにおいて、図８（ａ）に示すように、ＩＤ及びコマンドの各データの一つでもエラー（ＮＧ）が検出された場合には、信号フォーマット（Ａ）用のエラー判定部１２２ａは、ＩＤデータ、又は、コマンドデータが正常でない、即ち、正常な復元信号を得られなかったものとして、ステップＳ１７において、エラー処理を実行する。
【００９４】
他方、上記エラーチェックにおいて、図８（ｂ）に示すように、ＩＤ及びコマンドの各データのいずれにもエラー（ＮＧ）がなかった場合、即ち、全て正常（ＯＫ）であった場合にのみ、信号フォーマット（Ａ）用のエラー判定部１２２ａは、図９（ａ）に示すような復元信号（Ａ）から抽出したＩＤのみからなるＩＤデータを、ＩＤ判定部１２３に出力する。
【００９５】
その後、ステップＳ１４の処理において、信号フォーマット（Ａ）用のＩＤ判定部１２３ａが、入力したＩＤデータ（図９（ａ））が予め登録されている正規のＩＤと一致するか否かを確認する。
【００９６】
ここで、登録されている正規のＩＤと一致したと判定された場合、信号フォーマット（Ａ）用のＩＤ判定部１２３ａが信号フォーマット（Ａ）用のエラー判定部１２２ａにＯＫ信号を出力する。これにより、ＯＫ信号を入力した信号フォーマット（Ａ）用のエラー判定部１２２ａが、図９（ｂ）に示すような復元信号（Ａ）から抽出したコマンドのみからなるコマンドデータを、コマンド判定部１２４に出力する。
【００９７】
続いて、ステップＳ１５の処理において、コマンド判定部１２４が、入力したコマンドデータ（図９（ｂ））が予め登録されている正規のコマンドと一致するか否かを確認する。ここで、登録されている正規のコマンドと一致したと判定された場合、コマンド判定部１２４は、コマンド実行部１３にコマンドデータを出力する。これにより、続く、ステップＳ１６の処理において、コマンド実行部１３が、入力したコマンドを実行する。
【００９８】
次に、図３（ｂ）に示す信号フォーマット（Ｂ）のインタリーブ信号の認証処理について説明する。
【００９９】
ステップＳ１２の処理において、共通復元部１２１が、無線信号受信部１１から図３（ｂ）に示すような信号フォーマット（Ｂ）のインタリーブ信号を入力すると、まず、図１０（ａ）に示すような空状態のメモリ部１２１ａに対して、図１０（ｂ）に示すように、縦方向（点線矢印の方向）に入力したインタリーブ信号の先頭の構成データ（ＩＤ０）（図２（ｂ）参照）から順番に各構成データの書き込み処理を行う。
【０１００】
そして、図１０（ｃ）に示すように、全てのデータの書き込みが完了すると、共通復元部１２１は、続いて、図１０（ｄ）に示すように、横方向（点線矢印の方向）でメモリ部１２１ａに書き込まれた各構成データを順番に読み出す。図１０（ｅ）に示すように、全てのデータの読み出しが完了すると、図３（ａ）に示すような復元信号（Ｂ）が得られる。
【０１０１】
そして、共通復元部１２１は、復元信号（Ｂ）をエラー判定部１２２に出力する。
【０１０２】
その後、ステップＳ１３の処理において、信号フォーマット（Ｂ）用のエラー判定部１２２ｂが、誤り検出符号を用いて入力した復元信号（Ｂ）のエラーチェックを行う。
【０１０３】
具体的には、このエラーチェックにおいて、図１１（ａ）に示すように、複数繰り返されるまとまったＩＤ（ＩＤ０〜ＩＤ２）及びまとまったコマンド（Ｃ０〜Ｃ２）の両者において、それぞれ一つも正常（ＯＫ）なのものが検出されなかった場合には、信号フォーマット（Ｂ）用のエラー判定部１２２ｂは、ＩＤデータ及びコマンドデータが正常でない、即ち、正常な復元信号を得られなかったものとして、ステップＳ１７において、エラー処理を実行する。
【０１０４】
他方、上記エラーチェックにおいて、図１１（ｂ）に示すように、複数繰り返されるまとまったＩＤ（ＩＤ０〜ＩＤ２）及びまとまったコマンド（Ｃ０〜Ｃ２）の両者において、それぞれ少なくとも一つ正常（ＯＫ）なものが検出された場合には、信号フォーマット（Ｂ）用のエラー判定部１２２ｂは、図１２（ａ）に示すような復元信号（Ｂ）から抽出したＩＤのみからなるＩＤデータを、ＩＤ判定部１２３に出力する。
【０１０５】
その後、ステップＳ１４の処理において、信号フォーマット（Ｂ）用のＩＤ判定部１２３ｂが、入力したＩＤデータ（図１２（ａ））が予め登録されている正規のＩＤと一致するか否かを確認する。
【０１０６】
ここで、登録されている正規のＩＤと一致したと判定された場合、信号フォーマット（Ｂ）用のＩＤ判定部１２３ｂが信号フォーマット（Ｂ）用のエラー判定部１２２ｂにＯＫ信号を出力する。これにより、ＯＫ信号を入力した信号フォーマット（Ｂ）用のエラー判定部１２２ｂが、図１２（ｂ）に示すような復元信号（Ｂ）から抽出したコマンドのみからなるコマンドデータを、コマンド判定部１２４に出力する。
【０１０７】
続いて、ステップＳ１５の処理において、コマンド判定部１２４が、入力したコマンドデータ（図１２（ｂ））が予め登録されている正規のコマンドと一致するか否かを確認する。ここで、登録されている正規のコマンドと一致したと判定された場合、コマンド判定部１２４は、コマンド実行部１３にコマンドデータを出力する。これにより、続く、ステップＳ１６の処理において、コマンド実行部１３が、入力したコマンドを実行する。
【０１０８】
即ち、上記説明してきた実施形態によれば、異なる信号フォーマットでインタリーブされた複数種類のインタリーブ信号を同一の復元モジュールで復元できるので、復元モジュールを搭載する認証モジュール（被搭載モジュール）やその認証モジュールを実装する電子機器（テレビジョン受信機など）を小型化することができ、上記認証モジュール（被搭載モジュール）及び上記電子機器（テレビジョン受信機など）の製造コストを低減することができる。
【０１０９】
以上、例示的な実施形態に基づいて本発明を説明したが、本発明は前記した実施形態により限定されるものではなく、特許請求の範囲の記載により表される技術的思想の範囲内において種々の変更、改変を行うことが可能である。
【０１１０】
例えば、上記した実施形態では、共通復元部１２１のメモリアクセス制御部１２１ｂが、入力されたインタリーブ信号の各構成データをメモリ部１２１ａの縦方向（列方向）に順次書き込み、メモリ部１２１ａの各メモリセルに書き込まれた各構成データを横方向（行方向）で順次読み出すような形態について説明したが、これ以外にも、入力されたインタリーブ信号の各構成データをメモリ部１２１ａの横方向（行方向）に順次書き込み、メモリ部１２１ａの各メモリセルに書き込まれた各構成データを縦方向（列方向）で順次読み出すような形態としても良い。
【０１１１】
また、共通復元部１２１において、入力されたインタリーブ信号の先頭の構成データから最後尾の構成データまでそれぞれ予め指定されたメモリセルのアドレスに従って書き込みを行い、書き込まれた各構成データを予め指定されたメモリセルのアドレスから読み出すように構成すれば良いので、上記したような縦方向（列方向）又は横方向（行方向）のように連続したメモリセルに対して順次書き込み／読み出しをするためのアドレス指定以外のアドレス指定方法であっても良い。
【０１１２】
また、上記した実施形態では、環境検知部２２が、テレビジョン受信機１０の周辺に同種の機器が存在するような環境であることを検知した場合に、信号フォーマット（Ａ）を選択するための選択信号（Ａ）を後段のインタリーブ信号生成部２３に出力し、テレビジョン受信機１０の周辺のノイズが強く、通信エラーが発生する可能性が高いことを検知した場合に、信号フォーマット（Ｂ）を選択するための選択信号（Ｂ）を後段のインタリーブ信号生成部２３に出力する形態について説明したが、これ以外にも、例えば、テレビジョン受信機１０の周辺のノイズが強く、通信エラーが発生する可能性が高いことを検知した場合に、信号フォーマット（Ｂ）を選択するための選択信号（Ｂ）を後段の信号生成部２３に出力し、上記通信エラーが発生する可能性が高いことが検知されない場合（通常状態）には、信号フォーマット（Ａ）を選択するための選択信号（Ａ）を後段のインタリーブ信号生成部２３に出力するような形態としても良い。
【０１１３】
また、上記した実施形態では、無線信号送信部２４は、インタリーブ信号生成部２３が生成した信号を、Ｂｌｕｅｔｏｏｔｈなどの所定の無線通信手段により送信する場合について説明したが、これ以外にも、例えば、無線ＬＡＮや赤外線などのその他の無線通信手段を用いることも可能である。
【０１１４】
また、上記した実施形態では、エラー判定部１２２からＩＤ判定部１２３にＩＤデータのみが出力され、また、コマンド判定部１２４にコマンドデータのみが出力される形態について説明したが、これ以外にも、例えば、エラー判定部１２２からＩＤデータ及びコマンドデータが後段のＩＤ判定部１２３に出力され、ＩＤ判定部１２３において正規のＩＤである認証がとれた場合に、ＩＤ判定部１２３からコマンド判定部１２４にコマンドデータが出力されるような形態としても良い。
【０１１５】
また、上記した実施形態では、２種類の信号フォーマット（Ａ）及び信号フォーマット（Ｂ）のインタリーブ信号を共通に復元可能な共通復元部１２１について説明したが、これ以外にも、例えば、３種類以上の信号フォーマットに対応可能な共通復元部１２１とすることも可能である。
【０１１６】
また、上記した実施形態では、インタリーブ信号送受信システムとしてテレビジョンシステム１である場合であり、インタリーブ信号送信機としてリモコン装置に適用し、インタリーブ信号受信機としてテレビジョン受信機に適用する場合について説明したが、これ以外にも、例えば、インタリーブ信号送信機としては、携帯電話機、パーソナルコンピュータ（ＰＣ）等の他の装置であっても良く、また、インタリーブ信号受信機としては、録画装置、ＤＶＤプレーヤ等の他の装置であっても良い。
【０１１７】
その他、上記した実施形態における装置構成、機能構成、及び、インタリーブ信号のデータ構成などは単なる例として記載したものであり、本発明はこれらにより限定されない。
【符号の説明】
【０１１８】
１  テレビジョンシステム（インタリーブ信号送受信システム）
１０  テレビジョン受信機（インタリーブ信号受信機）
１１  無線信号受信部
１２  認証モジュール
１２１  共通復元部（復元モジュール）
１２１ａ  メモリ部（メモリ手段）
１２１ｂ  メモリアクセス制御部（メモリアクセス制御手段）
１２２  エラー判定部（エラー判定手段）
１２２ａ  信号フォーマット（Ａ）用のエラー判定部
１２２ｂ  信号フォーマット（Ｂ）用のエラー判定部
１２３  ＩＤ判定部（ＩＤ判定手段）
１２３ａ  信号フォーマット（Ａ）用のＩＤ判定部
１２３ｂ  信号フォーマット（Ｂ）用のＩＤ判定部
１２４  コマンド判定部（コマンド判定手段）
１２５  レジスタ
１３  コマンド実行部
１４  制御対象部
１４１  表示部
１４２  音声出力部
１４３  電源部
２０  リモコン装置（インタリーブ信号送信機）
２１  操作入力部
２２  環境検知部
２３  インタリーブ信号生成部
２４  無線信号送信部
２５  電源部
【図１】
2011135235.tif 000003
【図２】
2011135235.tif 000004
【図３】
2011135235.tif 000005
【図４】
2011135235.tif 000006
【図５】
2011135235.tif 000007
【図６】
2011135235.tif 000008
【図７】
2011135235.tif 000009
【図８】
2011135235.tif 000010
【図９】
2011135235.tif 000011
【図１０】
2011135235.tif 000012
【図１１】
2011135235.tif 000013
【図１２】
2011135235.tif 000014
【手続補正書】
【提出日】平成23年3月3日(2011.3.3)
【手続補正１】
【補正対象書類名】特許請求の範囲
【補正対象項目名】全文
【補正方法】変更
【補正の内容】
【特許請求の範囲】
【請求項１】
入力されたインタリーブ信号を構成する各構成データの書き込み及び読み出しが行われるメモリ手段と、
前記インタリーブ信号が入力された場合、当該入力されたインタリーブ信号の各構成データを、前記インタリーブ信号の異なる信号フォーマット間で共通に設定されている特定の書き込み順のアドレス情報に従って前記メモリ手段に順次書き込む処理を行うとともに、前記メモリ手段に書き込まれた各構成データを、前記異なる信号フォーマット間で共通に設定されている特定の読み出し順のアドレス情報に従って前記メモリ手段から順次読み出す処理を行い、前記読み出し処理により読み出した複数の構成データを復元信号として出力する制御を行うメモリアクセス制御手段と、
を備えたことを特徴とする認証モジュール。
【請求項２】
前記メモリ手段は、１ビット単位の前記各構成データを記憶する１ビット単位のメモリセルを行と列の２次元格子状に配置して構成されており、
前記メモリアクセス制御手段は、
前記入力されたインタリーブ信号の各構成データを、所定数の構成データ毎に、前記行又は列のいずれか一方向の所定数のメモリセル単位で順次書き込む処理を繰り返し行い、
全ての構成データの書き込みが終了した後、前記メモリセルに書き込まれた各構成データを、前記一方向とは異なる他方向の所定数のメモリセル単位で順次読み出す処理を繰り返し行うことを特徴とする請求項１に記載の認証モジュール。
【請求項３】
前記複数種類のインタリーブ信号は、インタリーブされる前の信号を、異なる信号フォーマット間で共通に設定されている特定のデータ並び替え規則に従って並び替えされた信号であることを特徴とする請求項１又は２に記載の認証モジュール。
【請求項４】
復元モジュールから出力された復元信号を入力した場合、所定のレジスタ手段の設定に基づき、当該入力した復元信号に対して前記信号フォーマット別のエラー判定処理を実行するエラー判定手段と、
前記エラー判定手段の判定により、正しいデータが得られたと判定された場合、前記レジスタ手段の設定に基づき、前記復元信号に含まれるＩＤデータに対して前記信号フォーマット別のＩＤ判定処理を実行するＩＤ判定手段と、
前記ＩＤ判定手段の判定により、正規のＩＤであると判定された場合、前記復元信号に含まれるコマンドデータに対してコマンド判定処理を実行するコマンド判定手段と、
を更に有することを特徴とする請求項１〜３のいずれか一項に記載の認証モジュール。
【請求項５】
入力されたインタリーブ信号を構成する各構成データの書き込み及び読み出しが行われるメモリ手段と、
前記インタリーブ信号が入力された場合、当該入力されたインタリーブ信号の各構成データを、前記インタリーブ信号の異なる信号フォーマット間で共通に設定されている特定の書き込み順のアドレス情報に従って前記メモリ手段に順次書き込む処理を行うとともに、前記メモリ手段に書き込まれた各構成データを、前記異なる信号フォーマット間で共通に設定されている特定の読み出し順のアドレス情報に従って前記メモリ手段から順次読み出す処理を行い、前記読み出し処理により読み出した複数の構成データを復元信号として出力する制御を行うメモリアクセス制御手段と、
を備えた認証モジュールと、
前記認証モジュールから出力される信号に基づいて制御される制御対象部と、
を備えたことを特徴とする電子機器。
【請求項６】
前記メモリ手段は、１ビット単位の前記各構成データを記憶する１ビット単位のメモリセルを行と列の２次元格子状に配置して構成されており、
前記メモリアクセス制御手段は、
前記入力されたインタリーブ信号の各構成データを、所定数の構成データ毎に、前記行又は列のいずれか一方向の所定数のメモリセル単位で順次書き込む処理を繰り返し行い、
全ての構成データの書き込みが終了した後、前記メモリセルに書き込まれた各構成データを、前記一方向とは異なる他方向の所定数のメモリセル単位で順次読み出す処理を繰り返し行うことを特徴とする請求項５に記載の電子機器。
【請求項７】
前記複数種類のインタリーブ信号は、インタリーブされる前の信号を、異なる信号フォーマット間で共通に設定されている特定のデータ並び替え規則に従って並び替えされた信号であることを特徴とする請求項５又は６に記載の電子機器。
【請求項８】
復元モジュールから出力された復元信号を入力した場合、所定のレジスタ手段の設定に基づき、当該入力した復元信号に対して前記信号フォーマット別のエラー判定処理を実行するエラー判定手段と、
前記エラー判定手段の判定により、正しいデータが得られたと判定された場合、前記レジスタ手段の設定に基づき、前記復元信号に含まれるＩＤデータに対して前記信号フォーマット別のＩＤ判定処理を実行するＩＤ判定手段と、
前記ＩＤ判定手段の判定により、正規のＩＤであると判定された場合、前記復元信号に含まれるコマンドデータに対してコマンド判定処理を実行するコマンド判定手段と、
を更に有することを特徴とする請求項５〜７のいずれか一項に記載の電子機器。
【請求項９】
入力されたインタリーブ信号を復元する処理を行う認証モジュールで実行されるインタリーブ復元方法であって、
前記認証モジュールは、
無線信号受信部で受信した無線電波から抽出されたインタリーブ信号を構成する各構成データを記憶するメモリ手段と、前記メモリ手段に対する前記構成データの書き込み及び読み出しを行うメモリアクセス制御手段を備え、
前記認証モジュールが、前記無線信号受信部を介して前記インタリーブ信号を入力する入力工程と、
メモリアクセス制御手段が、前記入力工程により入力されたインタリーブ信号の各構成データを、前記インタリーブ信号の異なる信号フォーマット間で共通に設定されている特定の書き込み順のアドレス情報に従って前記メモリ手段に順次書き込む処理を行うとともに、前記メモリ手段に書き込まれた各構成データを、前記異なる信号フォーマット間で共通に設定されている特定の読み出し順のアドレス情報に従って前記メモリ手段から順次読み出す処理を行うメモリアクセス制御工程と、
メモリアクセス制御手段が、前記メモリアクセス制御工程により順次読み出された複数の構成データを復元信号として出力する復元信号出力工程と、
を含むことを特徴とするインタリーブ信号の復元方法。